(57)【要約】【課題】化粧材を下地に強固に取り付けることができると共に、その取り外しを容易に行うことができる化粧材取付具を提供する。【解決手段】化粧材取付具１０は、長尺の化粧材を下地に取り付けるために用いられるものである。化粧材取付具１０は、下地に固定される固定部１１と、固定部１１に一体に設けられ化粧材に対してその幅方向の一方側及び前方への移動を規制するように係合する第１係合部１２，１３と、固定部１１に一体に設けられ化粧材に対してその幅方向の他方側への移動を規制するように係合する第２係合部１４と、を備える。第２係合部１４に、第２係合部１４の化粧材への係合を解除させるのに用いられる棒材を係合させるための棒材係合部１４ａを設ける。【選択図】図１
2004060188.tif 000002
【特許請求の範囲】
【請求項１】
長尺の化粧材を下地に取り付けるために用いられる化粧材取付具であって、
下地に固定される固定部と、
上記固定部に一体に設けられ化粧材に対してその幅方向の一方側及び前方への移動を規制するように係合する第１係合部と、
上記固定部に一体に設けられ化粧材に対してその幅方向の他方側への移動を規制するように係合する第２係合部と、を備え、
上記第２係合部に、該第２係合部の化粧材への係合を解除させるのに用いられる棒材を係合させるための棒材係合部が設けられていることを特徴とする化粧材取付具。
【請求項２】
請求項１に記載された化粧材取付具において、
上記第２係合部は板状に形成されており、
上記棒材係合部は、上記板状の第２係合部に形成された棒材係合孔で構成されていることを特徴とする化粧材取付具。
【請求項３】
請求項１に記載された化粧材取付具において、
金属板に対して切断加工及び折り曲げ加工のみが施されて形成されていることを特徴とする化粧材取付具。
【発明の詳細な説明】
【０００１】
【発明の属する技術分野】
本発明は、長尺の化粧材を下地に取り付けるために用いられる化粧材取付具に関する。
【０００２】
【従来の技術】
建築物の外壁、破風等の美観を向上させるために化粧材が用いられる。近年、かかる化粧材の取付は、ビスや釘で直接化粧材を下地に打ち付けて取り付ける工法から、下地に化粧材取付具を装着してその化粧材取付具を介して化粧材を取り付ける工法に移行してきている。
【０００３】
かかる化粧材取付具として、特開平８−２７０２００号公報には、化粧材取付具に化粧材裏面を押圧する板バネを設けることについて開示されており、これによって化粧材の前後方向におけるガタツキを防止することができると記載されている。
【０００４】
また、特開平１０−３０６５７２号公報には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【０００５】
【発明が解決しようとする課題】
ところで、化粧材を下地に取り付けても、施工状態が思わしくない場合等には、一旦、化粧材を下地から取り外す必要が生じることがある。しかしながら、従来の化粧材取付具では、化粧材を下地に強固に取り付けることについては考慮されているものの、化粧材を取り外すことについては考慮されておらず、むしろ化粧材を取り外すのが困難である。
【０００６】
本発明は、かかる点に鑑みてなされたものであり、その目的とするところは、化粧材を下地に強固に取り付けることができると共に、その取り外しを容易に行うことができる化粧材取付具を提供することにある。
【０００７】
【課題を解決するための手段】
上記目的を達成する本発明は、長尺の化粧材を下地に取り付けるために用いられる化粧材取付具であって、
下地に固定される固定部と、
上記固定部に一体に設けられ化粧材に対してその幅方向の一方側及び前方への移動を規制するように係合する第１係合部と、
上記固定部に一体に設けられ化粧材に対してその幅方向の他方側への移動を規制するように係合する第２係合部と、を備え、
上記第２係合部に、該第２係合部の化粧材への係合を解除させるのに用いられる棒材を係合させるための棒材係合部が設けられていることを特徴とする。
【０００８】
上記の構成によれば、固定部を下地に固定すると共に第１及び第２係合部を化粧材に係合させることによって化粧材を下地に強固に取り付けることができると共に、棒材を第２係合部の棒材係合部に係合させて第２係合部の化粧材への係合を解除させることにより化粧材を容易に取り外すことができる。
【０００９】
本発明は、上記第２係合部が板状に形成されており、上記棒材係合部が該板状の第２係合部に形成された棒材係合孔で構成されているものであってもよい。
【００１０】
棒材係合部の構成としては、例えば舌片等であってもよいが、上記の構成によれば、棒材係合部が板状の第２係合部に形成した棒材係合孔で構成されているので、新たな部材の追加が必要でなく、また、その形成も容易である。
【００１１】
本発明は、金属板に対して切断加工及び折り曲げ加工のみが施されて形成されたものであってもよい。
【００１２】
樹脂成形品の化粧材取付具では大量生産には好適であるが化粧材の種類に応じた成形が困難であり、また、金属材を溶接した化粧材取付具では化粧材の種類に応じた成形には好適であるが生産性が低い。しかしながら、上記の構成によれば、金属板に切断加工及び折り曲げ加工のみ施して形成された化粧材取付具であり、種々の形状のものを容易に成形することができるので、化粧材の種類に応じたものを効率的に製造することが可能となる。ここで、切削加工とは、切断する加工だけでなく、穿孔する加工も含む。
【００１３】
【発明の実施の形態】
以下、本発明の実施形態を図面に基づいて詳細に説明する。
【００１４】
図１は、本発明の実施形態に係る化粧材取付具１０を示す。図２は、この化粧材取付具１０を用いて下地３０に化粧材２０を取り付けた化粧材取付構造を示す。
【００１５】
この化粧材取付具１０は、縦長の略長方形の金属板を切断加工及び折り曲げ加工して形成されたものであって、固定板（固定部）１１と、固定部の上端に設けられた上側係合部（第１係合部）１２と、固定板１１の中央に設けられた中央係合部（第１係合部）１３と、固定部の下端に設けられた下側係合部（第２係合部）１４と、を備えている。
【００１６】
固定板１１は、下地３０に取り付けられる基板となる。固定板１１の上側係合部１２及び中央係合部１３のそれぞれの下側には釘等の固定具を挿通するための固定具挿通孔１１ａが設けられている。また、固定板１１には、中央の略正方形状の欠損及びその左右の略三角形状の欠損で構成された位置決め標１１ｂが設けられている。
【００１７】
上側係合部１２は、金属板の上端部から並列して切り出された一対の舌片で構成されており、基端部からやや斜め上方に延びた後に前方に延び、略直角に屈曲して上方に延びた後に先端が斜め外向きに延びた断面略Ｌ字状に形成されている。
【００１８】
中央係合部１３は、金属板の中央のやや下側の部分から横長の長方形に切り出された舌片で構成されており、基端部からやや斜め上方に延びた後に前方に延び、略直角に屈曲して上方に延びた後に先端が斜め外向きに延びた断面略Ｌ字状に形成されている。
【００１９】
下側係合部１４は、固定板１１の下端に連続した板状体で構成されており、後方斜め下に延びた後に鋭角をなすように屈曲して前方斜め下に延び、後方に突出した断面略Ｖ字状に形成されている。下側係合部１４には、前方斜め下に延びた部分に横方向に延びるように開口したスリット状の棒材係合孔（棒材係合部）１４ａが設けられている。
【００２０】
次に、この化粧材取付具１０を用いた化粧材２０の取付方法及び取り外し方法について説明する。
【００２１】
ここで、化粧材２０は、ケイ酸カルシウム等の水硬化性材料等を長尺に押出成形して形成されたものである。この化粧材２０は、裏面に化粧材取付具１０の上側係合部１２及び中央係合部１３に対応するように長手方向に延びる上側及び中央係合凹部２２，２３がそれぞれ設けられている。これらの上側及び中央係合凹部２２，２３は、それぞれ凹部上側壁が下方に垂下した突起となっており、凹部形状が断面略Ｌ字状に形成されている。また、この化粧材２０は、裏側の中央凹部の下方に断面コの字状に形成された下側係合凹部２４が設けられている。
【００２２】
また、下地３０は、下地本体３１表面に防水紙３２が貼付され、その外側に胴縁３３が設けられ、さらにその外側にサイディング３４が上下方向に間隔をおいて設けられたものである。
【００２３】
化粧材２０を下地３０に取り付けるときには、まず、化粧材取付具１０を下地３０のサイディング３４表面に横方向に間隔をあけて複数装着固定する。このとき、化粧材取付具１０の後方に突出した下側係合部１４がサイディング３４間の間隔に位置付けられるようにする。また、この化粧材取付具１０の装着固定は、位置決め標１１ｂを下地３０に標したラインに合わせて化粧材取付具１０を所定箇所に配置した後、固定具挿通孔１１ａに釘を挿通させて下地３０に打ちつけ、固定具挿通孔１１ａに釘の頭部を係合させることにより行う。
【００２４】
次いで、化粧材２０の上側係合凹部２２の垂下突起を化粧材取付具１０の上側係合部１２に上方から挿入するようにして上側係合部１２を上側係合凹部２２に係合させる。それと同時に、化粧材２０の中央係合凹部２３の垂下突起を化粧材取付具１０の中央係合部１３に上方から挿入するようにして中央係合部１３を中央係合凹部２３に係合させる。このとき、必要に応じて、上側及び中央係合部１２，１３の内側に弾性接着剤を付着させてもよい。
【００２５】
次いで、化粧材取付具１０の下側係合部１４を下側から上向きに押圧して先端を化粧材２０の下側係合凹部２４に係合させる。このとき、棒材係合孔１４ａにドライバ等の棒材４０の先端を係合させて下側係合部１４を下側から上向きに押圧するようにしてもよい。
【００２６】
以上によって、化粧材取付具１０の上側及び中央係合部１２，１３が化粧材２０の上側及び中央係合凹部２２，２３にそれぞれ係合して化粧材２０の下方及び前方への移動が規制されると共に、化粧材取付具１０の下側係合部１４が化粧材２０の下側係合凹部２４に係合して化粧材２０の上方への移動が規制され、下地３０への化粧材２０の取付が完了する。
【００２７】
また、下地３０からの化粧材２０を取り外すときには、まず、図３（ａ）に示すように、化粧材２０と下地３０との隙間からドライバ等の棒材４０を挿入して下側係合部１４の棒材係合孔１４ａにドライバ等の棒材４０の先端を係合させる。
【００２８】
次いで、図３（ｂ）に示すように、棒材４０を図の矢印の向きに移動させることにより下側係合部１４を下側係合凹部２４から外し、図３（ｃ）に示すように、下側係合凹部２４への下側係合部１４の係合を解除させる。
【００２９】
次いで、図３（ｄ）に示すように、化粧材２０を上方に移動させることにより、上側及び中央係合部１２，１３の化粧材２０に対する係合も解除させ、下地３０からの化粧材２０の取り外しが完了する。
【００３０】
上記の化粧材取付具１０によれば、固定板１１を下地３０に固定すると共に上側及び中央並びに下側係合部１２，１３，１４をそれぞれ化粧材２０の上側及び中央並びに下側係合凹部２２，２３，２４に係合させることによって化粧材２０を下地３０に強固に取り付けることができると共に、棒材４０を下側係合部１４の棒材係合孔１４ａに係合させて下側係合部１４の化粧材２０の下側係合凹部２４への係合を解除させることにより化粧材２０を容易に取り外すことができる。
【００３１】
また、棒材４０を下側係合部１４に形成された棒材係合孔１４ａに係合させるようにしているので、棒材４０を係合させるための新たな部材の追加が必要でなく、また、その形成も容易である。
【００３２】
さらに、金属板に対して切断加工及び折り曲げ加工のみが施されて製造された化粧材取付具１０であり、種々の形状のものを容易に成形することができるので、化粧材２０の種類に応じたものを効率的に製造することが可能となる。
【００３３】
なお、上記実施形態では、化粧材取付具１０を横方向に延びるように化粧材２０を取り付けるために用いたが、特にこれに限定されるものではなく、縦方向に延びるように化粧材２０を取り付けるためにも用いることができる。
【００３４】
また、上記実施形態では、下側係合部１４に形成した棒材係合孔１４ａで棒材係合部を構成したが、特にこれに限定されるものではなく、下側係合部１４に設けた舌片等により棒材係合部を構成してもよい。
【００３５】
また、上記実施形態では、下側係合部１４の先端を直線状に形成したものとしたが、特にこれに限定されるものではなく、ノコギリ歯状に形成して下側係合凹部２４への摩擦係数を高め、下側係合部１４の下側係合凹部２４への係合をより強固なものになるようにしてもよい。
【００３６】
また、下地３０に化粧材２０を取り付けた後には、必要に応じて、化粧材２０上端と下地３０との間の隙間にシーリング材を充填するようにしてもよい。
【００３７】
【発明の効果】
以上説明したように、本発明によれば、固定板を下地に固定すると共に第１及び第２係合部を化粧材に係合させることにより化粧材を下地に強固に取り付けることができると共に、棒材を第２係合部の棒材係合部に係合させて第２係合部の化粧材への係合を解除させることにより化粧材を容易に取り外すことができる。
【図面の簡単な説明】
【図１】本発明の実施形態に係る化粧材取付具の斜視図である。
【図２】本発明の実施形態に係る化粧材取付具を用いた化粧材取付構造の側面図である。
【図３】化粧材の取り外し方法を示す説明図である。
【符号の説明】
１０　化粧材取付具
１１　固定板（固定部）
１１ａ　固定具挿通孔
１１ｂ　位置決め標
１２　上側係合部（第１係合部）
１３　中央係合部（第１係合部）
１４　下側係合部（第２係合部）
１４ａ　棒材係合孔（棒材係合部）
２０　化粧材
２２　上側係合凹部
２３　中央係合凹部
２４　下側係合凹部
３０　下地
３１　下地本体
３２　防水紙
３３　胴縁
３４　サイディング
４０　棒材
【図１】
2004060188.tif 000003
【図２】
2004060188.tif 000004
【図３】
2004060188.tif 000005